(57)【要約】【課題】迅速かつ容易に変更が可能であり、さらなるセキュリティの向上を図ること。【解決手段】本発明の情報処理装置は、ユーザ認証情報を取得するユーザ認証情報取得手段と、物体撮影画像から抽出された物体特徴量を取得する物体特徴量取得手段と、ユーザ認証情報と物体特徴量とを関連付けて記憶装置に記憶する記憶処理手段と、新たに取得した情報が、記憶装置に記憶されている関連付けられたユーザ認証情報と物体特徴量とに一致するか否かの判定処理を行う判定手段と、を備える。【選択図】図１１
2019137972.tif 000002
【特許請求の範囲】
【請求項１】
ユーザ認証情報を取得するユーザ認証情報取得手段と、
物体撮影画像から抽出された物体特徴量を取得する物体特徴量取得手段と、
前記ユーザ認証情報と前記物体特徴量とを関連付けて記憶装置に記憶する記憶処理手段と、
新たに取得した情報が、前記記憶装置に記憶されている関連付けられた前記ユーザ認証情報と前記物体特徴量とに一致するか否かの判定処理を行う判定手段と、
を備えた情報処理装置。
【請求項２】
請求項１に記載の情報処理装置であって、
前記ユーザ認証情報取得手段は、新たなユーザ認証情報を取得し、
前記物体特徴量取得手段は、新たな物体撮影画像から抽出された新たな物体特徴量を取得し、
前記判定手段は、前記新たなユーザ認証情報と前記新たな物体特徴量とが、前記記憶装置に記憶されている関連付けられた前記ユーザ認証情報と前記物体特徴量とに一致するか否かの判定処理を行う、
情報処理装置。
【請求項３】
請求項１又は２に記載の情報処理装置であって、
前記記憶処理手段は、前記ユーザ認証情報と前記物体特徴量とを関連付けて記憶する際に、予め設定された錠前の施錠処理を行う、
情報処理装置。
【請求項４】
請求項３に記載の情報処理装置であって、
前記判定手段は、前記判定処理にて一致すると判定した場合に、前記錠前の解錠処理を行う、
情報処理装置。
【請求項５】
請求項３又は４に記載の情報処理装置であって、
前記記憶処理手段は、前記ユーザ認証情報が予め登録された情報と一致する場合に、前記錠前の施錠処理を行う、
情報処理装置。
【請求項６】
請求項４又は５に記載の情報処理装置であって、
前記判定手段は、前記ユーザ認証情報が予め登録された情報と一致し、前記物体特徴量が予め登録された情報と一致すると共に、前記判定処理にて一致すると判定した場合に、前記錠前の解錠処理を行う、
情報処理装置。
【請求項７】
請求項１乃至６のいずれかに記載の情報処理装置であって、
前記判定手段は、前記判定処理にて一致すると判定された前記記憶装置に記憶されている関連付けられた前記ユーザ認証情報と前記物体特徴量との関連付けを解除する、
情報処理装置。
【請求項８】
ユーザ認証情報を入力する入力手段と、
物体撮影画像を撮像する撮像手段と、
前記入力手段から入力された前記ユーザ認証情報を取得するユーザ認証情報取得手段と、
前記撮像手段にて撮像された前記物体撮影画像から抽出された物体特徴量を取得する物体特徴量取得手段と、
前記ユーザ認証情報と前記物体特徴量とを関連付けて記憶装置に記憶する記憶処理手段と、
新たに取得した情報が、前記記憶装置に記憶されている関連付けられた前記ユーザ認証情報と前記物体特徴量とに一致するか否かの判定処理を行う判定手段と、
を備えた情報処理システム。
【請求項９】
請求項８に記載の情報処理システムであって、
前記入力手段と前記撮像手段とを備えた携帯端末と、
前記携帯端末とネットワークを介して接続され、前記ユーザ認証情報取得手段と前記物体特徴量取得手段と前記記憶処理手段と前記判定手段とを備えたサーバ装置と、を備え、
前記サーバ装置は、予め登録された前記携帯端末と通信可能なよう接続を行う通信制御手段を備え、
前記サーバ装置の前記ユーザ認証情報取得手段及び前記物体特徴量取得手段は、接続された前記携帯端末を介して情報を取得する、
情報処理システム。
【請求項１０】
ユーザ認証情報を取得し、
物体撮影画像から抽出された物体特徴量を取得し、
前記ユーザ認証情報と前記物体特徴量とを関連付けて記憶装置に記憶し、
新たに入力された情報が、前記記憶装置に記憶されている関連付けられた前記ユーザ認証情報と前記物体特徴量とに一致するか否かの判定処理を行う、
情報処理方法。
【発明の詳細な説明】
【技術分野】
【０００１】
本発明は、情報処理装置、情報処理システム、プログラム、情報処理方法に関する。
【背景技術】
【０００２】
鍵と錠を用いた施錠管理は、複製・偽装が困難で堅牢なものが求められる。特に、電子鍵は、流出した場合には発覚までに時間がかかる。そこで、リスクを可能な限り下げるため、管理者は鍵を迅速かつ容易に変更できることが望まれる。
【０００３】
しかし、一般的なパスワードに代表される鍵の認証方法では、一様に強固なパスワードをユーザが設定することは難しい。このため、セキュリティが低い、という問題が生じる。一方、セキュリティカードでは、スキミングや複製にあった場合に、ＩＣ（Integrated Circuit）カードを書き換えたり、再発行するなどの手間が発生する。このため、鍵の変更が必要な時に迅速かつ容易に変更することができず、依然としてセキュリティが低い、という問題が生じる。さらに、スマートフォンと公開鍵を用いたリモートでの施錠管理方法があるが、スマートフォンの紛失や公開鍵の流出リスクがあり、やはりセキュリティが低い。
【０００４】
ここで、施錠管理においてさらなるセキュリティを高めるべく、複数の鍵の認証を必要とさせるシステムも考えられている。例えば、特許文献１の技術では、ＩＣカードで認証を行いつつ、ユーザの顔画像といった生体情報による認証も行っている。
【先行技術文献】
【特許文献】
【０００５】
【特許文献１】特開２０１７−０９１１２９号公報
【発明の概要】
【発明が解決しようとする課題】
【０００６】
しかしながら、特許文献１の技術では、２つの認証方式を用いているためセキュリティは高まっているものの、２つの認証対象を事前に登録しておかなければならず、鍵を迅速かつ容易に変更できることが難しい。このため、セキュリティのさらなる向上を図ることができない、という問題が生じる。また、かかる問題は、施錠管理に限らず、あらゆる認証場面においても生じうる。
【０００７】
このため、本発明の目的は、迅速かつ容易に変更が可能であり、さらなるセキュリティの向上を図ることができる情報処理装置、情報処理システム、プログラム、情報処理方法を提供することにある。
【課題を解決するための手段】
【０００８】
本発明の一形態である情報処理装置は、
ユーザ認証情報を取得するユーザ認証情報取得手段と、
物体撮影画像から抽出された物体特徴量を取得する物体特徴量取得手段と、
前記ユーザ認証情報と前記物体特徴量とを関連付けて記憶装置に記憶する記憶処理手段と、
新たに取得した情報が、前記記憶装置に記憶されている関連付けられた前記ユーザ認証情報と前記物体特徴量とに一致するか否かの判定処理を行う判定手段と、
を備えた、
という構成をとる。
【０００９】
また、本発明の他の形態である情報処理システムは、
ユーザ認証情報を入力する入力手段と、
物体撮影画像を撮像する撮像手段と、
前記入力手段から入力された前記ユーザ認証情報を取得するユーザ認証情報取得手段と、
前記撮像手段にて撮像された前記物体撮影画像から抽出された物体特徴量を取得する物体特徴量取得手段と、
前記ユーザ認証情報と前記物体特徴量とを関連付けて記憶装置に記憶する記憶処理手段と、
新たに取得した情報が、前記記憶装置に記憶されている関連付けられた前記ユーザ認証情報と前記物体特徴量とに一致するか否かの判定処理を行う判定手段と、
を備えた、
という構成をとる。
【００１０】
また、本発明の他の形態である情報処理方法は、
ユーザ認証情報を取得し、
物体撮影画像から抽出された物体特徴量を取得し、
前記ユーザ認証情報と前記物体特徴量とを関連付けて記憶装置に記憶し、
新たに入力された情報が、前記記憶装置に記憶されている関連付けられた前記ユーザ認証情報と前記物体特徴量とに一致するか否かの判定処理を行う、
という構成をとる。
【００１１】
また、本発明の他の形態であるプログラムは、
情報処理装置に、
ユーザ認証情報を取得するユーザ認証情報取得手段と、
物体撮影画像から抽出された物体特徴量を取得する物体特徴量取得手段と、
前記ユーザ認証情報と前記物体特徴量とを関連付けて記憶装置に記憶する記憶処理手段と、
新たに取得した情報が、前記記憶装置に記憶されている関連付けられた前記ユーザ認証情報と前記物体特徴量とに一致するか否かの判定処理を行う判定手段と、
を実現させる、
という構成をとる。
【発明の効果】
【００１２】
本発明は、以上のように構成されることにより、迅速かつ容易に変更が可能であり、セキュリティの向上を図ることができる情報処理装置、情報処理システム、情報処理方法を提供することができる。
【図面の簡単な説明】
【００１３】
【図１】本発明の実施形態１におけるセキュリティシステムの構成を示す概略図である。
【図２】図１に開示した施錠管理サーバの構成を示すブロック図である。
【図３】図１に開示した施錠管理システムの処理動作を示すフローチャートである。
【図４】図１に開示した施錠管理システムの処理動作を示すフローチャートである。
【図５】本発明の実施形態２におけるセキュリティシステムの構成を示す概略図である。
【図６】本発明の実施形態３におけるセキュリティシステムの構成を示す概略図である。
【図７】図６に開示した施錠管理サーバの構成を示すブロック図である。
【図８】図６に開示した施錠管理システムの処理動作を示すフローチャートである。
【図９】図６に開示した施錠管理システムの処理動作を示すフローチャートである。
【図１０】図６に開示した施錠管理システムの処理動作を示すフローチャートである。
【図１１】本発明の実施形態４における情報処理装置の構成を示すブロック図である。
【図１２】本発明の実施形態４における情報処理システムの構成を示すブロック図である。
【発明を実施するための形態】
【００１４】
＜実施形態１＞
本発明の第１の実施形態を、図１乃至図４を参照して説明する。図１乃至図２は、セキュリティシステムの構成を示す図である。図３乃至図４は、セキュリティシステムの処理動作を説明するための図である。
【００１５】
［構成］
本発明におけるセキュリティシステムは、会社内のセキュリティレベルが高く設定された部屋のドアや、自宅の玄関のドア、などの施錠・解錠を行うための情報処理システムである。具体的に、本発明におけるセキュリティシステムは、図１に示すように、施錠管理サーバ１０と、所定のドアＤの施錠・解錠を行う錠前装置Ｌと、ユーザＵ及びユーザＵが所有する物体Ｏを撮像する第１カメラ２１及び第２カメラ２２と、を備えている。そして、ユーザＵは、物体Ｏを所持した状態で、ドアＤの錠前装置Ｌの施錠・解錠を行う。以下、各構成について具体的に説明する。
【００１６】
上記錠前装置Ｌは、ドアＤに取り付けられており、当該ドアＤの施錠・解錠を行う機構を備えている。そして、錠前装置Ｌは、施錠管理サーバ１０にネットワークを介して接続されており、施錠管理サーバ１０からの施錠・解錠を指示する制御信号に応じて、施錠・解錠を行うよう構成されている。
【００１７】
上記第１カメラ２１及び第２カメラ２２は、本実施形態では、ドアＤの外側であり、当該ドアＤの近くに設置されている。特に、第１カメラ２１（入力手段）は、ドアＤの外側の前に立って位置するユーザＵの顔画像を撮像可能なよう設置されている。また、第２カメラ２２（撮像手段）は、ドアＤの外側の前に立って位置するユーザＵが手に所持する物体Ｏの表面を撮像可能なよう設置されている。そして、第１カメラ２１及び第２カメラ２２は、施錠管理サーバ１０にネットワークを介して接続されており、施錠管理サーバ１０からの撮像指令に応じてユーザＵの顔画像及び物体Ｏの物体画像（物体撮影画像）を撮像し、かかる画像を施錠管理サーバ１０に送信する。
【００１８】
ここで、ユーザＵが所持する物体Ｏは、例えば、ユーザＵが常時身につけている腕時計、衣類、財布、携帯電話などであるが、いかなる物体であってもよい。
【００１９】
なお、第１カメラ２１及び第２カメラ２２の設置位置は、必ずしも上述した位置であることに限定されず、少なくともユーザＵの顔画像と物体Ｏの物体画像とを撮像できる位置に設置されていればよい。また、第１カメラ及び第２カメラは、１台のカメラで構成されていてもよく、かかる１台のカメラでユーザＵの顔と物体Ｏとが撮影できればよい。
【００２０】
上記施錠管理サーバ１０は、演算装置及び記憶装置を有するサーバ装置（情報処理装置）である。そして、施錠管理サーバ１０は、図２に示すように、演算装置がプログラムを実行することで構築された、ユーザ情報処理部１１、物体情報処理部１２、施錠処理部１３、解錠処理部１４、を備えている。また、施錠管理サーバ１０は、記憶装置に形成された、ユーザ情報記憶部１６、物体情報記憶部１７、施錠情報記憶部１８、を備えている。
【００２１】
上記ユーザ情報処理部１１（ユーザ認証情報取得手段）は、事前にユーザＵのユーザ認証情報として、当該ユーザＵの顔画像あるいは顔画像から抽出された顔特徴量を取得して、ユーザ情報記憶部１６に記憶して登録する。このとき、ユーザ情報処理部１１は、第１カメラ２１にて撮影されたユーザＵの顔画像を受け取って当該顔画像から顔特徴量を抽出して登録してもよく、ネットワークを介して他の情報処理装置から取得したユーザＵの顔画像あるいは顔特徴量を登録してもよい。
【００２２】
また、ユーザ情報処理部１１は、ユーザＵからドアＤの施錠の要求を受けると、第１カメラ２１に対して撮像指令を送り、当該撮像指令に応じて第１カメラ２１にて撮影されたユーザＵの画像を取得する。そして、ユーザ情報処理部１１は、取得したユーザＵの画像からユーザＵの顔画像を抽出し、当該顔画像からユーザＵのユーザ認証情報としての顔特徴量を抽出する。さらに、ユーザ情報処理部１１は、抽出した顔特徴量と、予めユーザ情報記憶部１６に登録されている顔特徴量と、が一致するか否かの認証を行う。認証の結果、一致する場合には認証成功の旨を、一致しない場合には認証失敗の旨を、物体情報処理部１２と施錠処理部１３に通知する。なお、ユーザＵからの施錠要求は、例えば、ドアＤの錠前装置Ｌ付近に設置されている操作装置（操作パネルなど）をユーザＵが操作することでユーザ情報処理部１１に入力される。
【００２３】
ここで、上記ユーザ情報処理部１１による顔特徴量の認証処理は、例えば、以下のようにして行う。まず、抽出した特徴量と、予めユーザ情報記憶部１６に記憶されている顔特徴量と、の類似度といった認証スコアを算出し、認証スコアがしきい値よりも高いか否か判定する。そして、認証スコアがしきい値より高い場合には、認証成功と判断する。但し、認証処理はいかなる方法で行われてもよい。
【００２４】
上記物体情報処理部１２（物体特徴量取得手段）は、ユーザＵからドアＤの施錠の要求を受けると、第２カメラ２２に対して撮像指令を送り、当該撮像指令に応じて第２カメラ２２にて撮影されたユーザＵが所持する物体Ｏの画像を取得する。そして、物体情報処理部１２は、ユーザ情報処理部１１からユーザＵの顔特徴量の認証成功の通知を受けている場合には、取得した物体画像から、物体Ｏの表面に形成されている物体固有の特徴量となる物体紋様（物体特徴量）を抽出して取得する。さらに、物体情報処理部１２は、抽出した物体紋様を物体情報記憶部１７に記憶して登録し、その旨を、施錠処理部１３に通知する。
【００２５】
以上のように、ユーザＵからの施錠要求時には、第１カメラ２１にてユーザＵの顔画像が撮像され、同時に、第２カメラ２２にて物体Ｏの物体画像が撮像される。そして、ユーザ情報処理部１１にてユーザＵのユーザ認証情報として顔特徴量が取得され、物体情報処理部１２にて物体Ｏの物体特徴量として物体紋様が取得される。
【００２６】
上記施錠処理部１３（記憶処理部）は、ユーザ情報処理部１１からユーザＵの認証成功の通知と、物体情報処理部１２から物体紋様の登録成功の通知と、を受けると、ユーザ情報処理部１１にて取得したユーザＵの顔特徴量と、物体情報処理部１２にて取得した物体紋様と、を関連付けて、施錠情報記憶部１８に記憶する。同時に、施錠要求されているドアＤの錠前装置Ｌを施錠するよう、かかる錠前装置Ｌに施錠指令を送る。これにより、ドアＤの錠前装置Ｌが施錠状態となる。なお、施錠情報記憶部１８には、顔特徴量と物体紋様との関連付け情報に、施錠したドアＤの錠前装置Ｌを特定する情報が対応づけられて記憶される。
【００２７】
また、上述したユーザ情報処理部１１（ユーザ認証情報取得手段）は、ユーザＵからドアＤの解錠の要求を受けた際にも、施錠要求時と同様に、第１カメラ２１に対して撮像指令を送り、当該撮像指令に応じて第１カメラ２１にて撮影されたユーザＵの画像を取得する。そして、ユーザ情報処理部１１は、取得したユーザＵの画像からユーザＵの顔画像を抽出し、当該顔画像からユーザＵの新たなユーザ認証情報としての顔特徴量を抽出する。さらに、ユーザ情報処理部１１は、抽出した顔特徴量と、予めユーザ情報記憶部１６に登録されている顔特徴量と、が一致するか否かの認証を行う。認証の結果、一致する場合には認証成功の旨を、一致しない場合には認証失敗の旨を、物体情報処理部１２と解錠処理部１４に通知する。なお、ユーザＵからの解錠要求は、例えば、ドアＤの錠前装置Ｌ付近に設置されている操作装置（操作パネルなど）をユーザＵが操作することでユーザ情報処理部１１に入力される。ここで、顔特徴量の認証処理は、例えば、上述同様に行われる。
【００２８】
また、上述した物体情報処理部１２（物体特徴量取得手段）は、ユーザＵからドアＤの解錠の要求を受けた際にも、施錠要求時と同様に、第２カメラ２２に対して撮像指令を送り、当該撮像指令に応じて第２カメラ２２にて撮影されたユーザＵが所持する物体Ｏの画像を取得する。そして、物体情報処理部１２は、ユーザ情報処理部１１からユーザＵの顔特徴量の認証成功の通知を受けている場合には、取得した物体画像から、物体Ｏの表面に形成されている新たな物体固有の特徴量となる物体紋様（物体特徴量）を抽出して取得する。さらに、物体情報処理部１２は、抽出した物体紋様と、予め物体情報記憶部１７に登録されている物体紋様と、が一致するか否かの認証を行う。認証の結果、一致する場合には認証成功の旨を、一致しない場合には認証失敗の旨を、解錠処理部１４に通知する。
【００２９】
ここで、上記物体情報処理部１２による物体紋様の認証処理は、例えば、以下のようにして行う。まず、抽出した物体紋様と、施錠時に物体情報記憶部１７に記憶された物体紋様と、の類似度といった認証スコアを算出し、認証スコアがしきい値よりも高いか否か判定する。そして、認証スコアがしきい値より高い場合には、認証成功と判断する。但し、物体紋様の認証処理はいかなる方法で行われてもよい。
【００３０】
以上のように、ユーザＵからの解錠要求時にも、第１カメラ２１にてユーザＵの顔画像が撮像され、同時に、第２カメラ２２にて物体Ｏの物体画像が撮像される。そして、ユーザ情報処理部１１にて解錠用のユーザＵの新たなユーザ認証情報として顔特徴量が取得され、物体情報処理部１２にて解錠用の物体Ｏの新たな物体特徴量として物体紋様が取得される。
【００３１】
そして、上記解錠処理部１４（判定手段）は、ユーザＵからドアＤの解錠要求を受けた際に、ユーザ情報処理部１１からユーザＵの認証成功の通知と、物体情報処理部１２から物体紋様の認証成功の通知と、を受けると、ユーザ情報処理部１１にて取得したユーザＵの新たな顔特徴量と、物体情報処理部１２にて取得した新たな物体紋様とが、施錠情報記憶部１８に関連付けられて記憶されているかを判定する。つまり、解錠要求時に取得された顔特徴量と物体紋様との関連付け情報が、施錠情報記憶部１８に記憶されている顔特徴量と物体紋様との関連付け情報と一致するかを判定する判定処理を行う。そして、解錠処理部１４は、判定処理にて一致すると判定した場合には、当該一致した施錠情報記憶部１８に記憶されている顔特徴量と物体紋様との関連付け情報に対応付けられているドアＤの錠前装置Ｌに対して、解錠指令を送る。これにより、ドアＤの錠前装置Ｌが解錠状態となる。
【００３２】
また、解錠処理部１４は、上述したようにドアＤの錠前装置Ｌの解錠が行われると、当該錠前装置Ｌに対応づけられて、施錠情報記憶部１８に記憶されている顔特徴量と物体紋様との関連づけを解除する。つまり、施錠情報記憶部１８内から、解錠を行った錠前装置Ｌに対応づけられている顔特徴量と物体紋様との関連付け情報を削除する。同時に、この関連付け情報の物体紋様と同一であり、物体情報記憶部１７に記憶されている物体紋様も削除する。
【００３３】
なお、上述した解錠処理部１４による関連付け情報や物体紋様の削除は、何度かの解錠処理が実行されてから行われてもよい。つまり、一度、施錠情報記憶部１８に記憶された顔特徴量と物体紋様との関連付け情報は、複数回の解錠処理に利用されてもよい。このため、解錠処理部１４は、解錠要求時に入力された顔特徴量と物体紋様とが、予め設定された回数だけ施錠情報記憶部１８に記憶されている関連付け情報に一致すると判定された場合に、かかる関連付け情報を施錠情報記憶部１８から削除し、また、対応する物体紋様を削除してもよい。
【００３４】
また、上記施錠処理部１３（記憶処理部）は、施錠時に、１つのユーザＵの顔特徴量と、１つの物体紋様と、を関連付けて、施錠情報記憶部１８に記憶しているが、複数のユーザＵの顔特徴量（ユーザ認証情報）からなるユーザグループ情報と、１つの物体紋様（物体特徴量）と、を関連付けて、施錠情報記憶部１８に記憶して施錠してもよい。これに伴い、上記解錠処理部１４（判定手段）は、解錠時に、新たに入力されたユーザＵの顔特徴量が、上記ユーザグループ情報のいずれかと一致し、かつ、新たに入力された物体紋様が、ユーザグループ情報に対応づけられた物体紋様と一致している場合に、解錠してもよい。これにより、ユーザグループを形成する複数のユーザが、同一の物体Ｏを受け渡して施錠・解錠に利用することができる。その結果、グループ認証にも利用することができる。
【００３５】
［動作］
次に、上述したセキュリティシステムの動作を、図３乃至図４のフローチャートを参照して説明する。図３は、ドアＤを施錠するときの施錠管理サーバ１０動作を示し、図４は、ドアＤを解錠するときの施錠管理サーバ１０の動作を示す。
【００３６】
（施錠手順）
ユーザＵは、事前にユーザ情報を施錠管理サーバ１０に登録する。例えば、ユーザＵは、ネットワークを介して、顔画像や当該顔画像から抽出された顔特徴量を、施錠管理サーバ１０のユーザ情報記憶部１６に登録する（ステップＳ１）。
【００３７】
その後、ユーザＤは、ドアＵ付近に設置された操作装置を操作してドアＤの施錠を要求する。施錠要求を受けた施錠管理サーバ１０は（ステップＳ２）、第１カメラ２１及び第２カメラ２２にて撮像する（ステップＳ３）。これにより、施錠管理サーバ１０は、第１カメラ２１からユーザＵの顔画像を取得し、第２カメラ２２から物体Ｏの物体画像を取得する。
【００３８】
続いて、施錠管理サーバ１０は、第１カメラ２１から取得したユーザＵの画像からユーザＵの顔画像を抽出し、当該顔画像からユーザＵのユーザ認証情報としての顔特徴量を抽出する（ステップＳ４）。そして、施錠管理サーバ１０は、抽出した顔特徴量と、予めユーザ情報記憶部１６に登録されている顔特徴量と、が一致するか否かの認証を行う（ステップＳ５）。認証の結果、一致しない場合には認証失敗とし、施錠がキャンセルされる（ステップＳ１０）。認証の結果、一致する場合には認証成功となる（ステップＳＹ５：Ｙｅｓ）。
【００３９】
顔特徴量の認証が成功した場合には、施錠管理サーバ１０は、取得した物体画像から、物体Ｏの表面に形成されている物体固有の特徴量となる物体紋様を抽出する（ステップＳ６）。そして、施錠管理サーバ１０は、抽出した物体紋様を物体情報記憶部１７に記憶する（ステップＳ７）。これと共に、施錠管理サーバ１０は、取得したユーザＵの顔特徴量と取得した物体紋様とを関連付けて、施錠情報記憶部１８に記憶する（ステップＳ８）。同時に、施錠管理サーバ１０は、施錠要求されているドアＤの錠前装置Ｌを施錠するよう制御する（ステップＳ９）。これにより、ドアＤの錠前装置Ｌは施錠状態となり、ドアＤは内側からは開くが外部からは登録情報がないと開かないオートロックになる。
【００４０】
（解錠手順）
ユーザＵは、ドアＤ付近に設置された操作装置を操作してドアＤの解錠を要求する。解錠要求を受けた施錠管理サーバ１０は（ステップＳ２１）、第１カメラ２１及び第２カメラ２２にて撮像する（ステップＳ２２）。これにより、施錠管理サーバ１０は、第１カメラ２１からユーザＵの新たな顔画像を取得し、第２カメラ２２から物体Ｏの新たな物体画像を取得する。
【００４１】
続いて、施錠管理サーバ１０は、第１カメラ２１から取得したユーザＵの新たな画像からユーザＵの新たな顔画像を抽出し、当該顔画像からユーザＵのユーザ認証情報としての顔特徴量を抽出する（ステップＳ２３）。そして、施錠管理サーバ１０は、抽出した顔特徴量と、予めユーザ情報記憶部１６に登録されている顔特徴量と、が一致するか否かの認証を行う（ステップＳ２４）。認証の結果、一致しない場合には認証失敗とし、施錠がキャンセルされる（ステップＳ３０）。認証の結果、一致する場合には認証成功となる（ステップＳＹ２４：Ｙｅｓ）。
【００４２】
顔特徴量の認証が成功した場合には、施錠管理サーバ１０は、取得した新たな物体画像から、物体Ｏの表面に形成されている物体固有の特徴量となる物体紋様を抽出する（ステップＳ２５）。そして、施錠管理サーバ１０は、抽出した物体紋様が、物体情報記憶部１７に登録されている物体紋様と一致するか否かの認証を行う。認証の結果、一致する場合には（ステップＳ２６：Ｙｅｓ）、取得したユーザＵの新たな顔特徴量と新たな物体紋様とを関連付けた情報が、施錠情報記憶部１８に関連付けられて記憶されているかを判定する（ステップＳ２７）。つまり、解錠要求時に取得された顔特徴量と物体紋様との関連付け情報が、施錠情報記憶部１８に記憶されている顔特徴量と物体紋様との関連付け情報と一致するかを判定する判定処理を行う。
【００４３】
施錠管理サーバ１０は、上記判定処理にて一致すると判定した場合には（ステップＳ２７：Ｙｅｓ）、当該一致した施錠情報記憶部１８に記憶されている顔特徴量と物体紋様との関連付け情報に対応付けられているドアＤの錠前装置Ｌの解錠を行う（ステップＳ２８）。これにより、ドアＤの錠前装置Ｌが解錠状態となる。なお、上記判定処理にて一致しないと判定した場合には（ステップＳ２７：Ｎｏ）、解錠がキャンセルされる（ステップＳ３０）。
【００４４】
その後、施錠管理サーバ１０は、解錠を行った錠前装置Ｌに対応づけられている顔特徴量と物体紋様との関連付け情報を削除する（ステップＳ２９）。同時に、この関連付け情報の物体紋様と同一であり、物体情報記憶部１７に記憶されている物体紋様も削除する。なお、このとき、ユーザ情報記憶部１６に登録されたユーザの顔画像や当該顔画像から抽出された顔特徴量は、ユーザ情報としてユーザ情報記憶部１６に登録されたままとなる。
【００４５】
以上のように、本実施形態における情報処理システムによると、顔特徴量と物体紋様との組み合わせを鍵として施錠時に設定しているため、物体紋様を変更することで、迅速かつ容易に鍵を変更することが可能となる。特に、物体紋様は様々な物体毎に固有の情報であるため、複製が困難であり、鍵の強度が高く、セキュリティの向上を図ることができる。
【００４６】
ここで、上記では、鍵の１つであるユーザ認証情報として、ユーザＵの顔画像から抽出した顔特徴量を用いたが、ユーザＵの画像から抽出できる他の部位の特徴量を用いてもよい。また、ユーザＵの画像から抽出できる情報に限らず、指紋や虹彩などを取得して、ユーザ認証情報として用いてもよい。つまり、鍵の１つであるユーザ認証情報は、ユーザＵの身体的特徴を表す任意の生体情報であってもよい。さらに、鍵の１つであるユーザ認証情報は、ユーザＵの生体情報に限らず、以下の実施形態２で説明するように、いかなる識別情報を用いてもよい。
【００４７】
＜実施形態２＞
次に、本発明の第２の実施形態を、図５を参照して説明する。図５は、セキュリティシステムの全体構成を示す概略図である。
【００４８】
本実施形態におけるセキュリティシステムは、上述した実施形態１におけるものと同様の構成であるが、顔特徴量の代わりに、ＩＤ（identification card）カードに記憶されているユーザ識別情報を鍵の１つとして用いている点で異なる。以下、主に実施形態１とは異なる構成について詳述する。
【００４９】
図５に示すように、本実施形態のセキュリティシステムは、ドアＤの近くに設置された、ユーザＵが所持するＩＤカードＣを読み取り可能なカードリーダ２３（入力手段）を備えている。ここで、ＩＤカードＣは、マイナンバーカードや所属する組織のセキュリティカードなど、ユーザＵに固有なユーザ識別情報が記憶されている。また、ドアＤの近くには、実施形態１と同様に、ユーザＵが所有する物体Ｏの物体画像を撮像する第２カメラ２２が設置されている。
【００５０】
これにより、本実施形態の施錠管理サーバ１０は、カードリーダ２３から読み取ったユーザＵのＩＤカードＣに記憶されたユーザ識別情報を、ユーザ認証情報として取得する。そして、施錠管理サーバ１０は、物体Ｏの物体画像から抽出した物体紋様と、ＩＤカードＣから読み取ったユーザ識別情報と、を関連付けることで、実施形態１と同様に鍵として用いることができる。
【００５１】
＜実施形態３＞
次に、本発明の第３の実施形態を、図６乃至図１０を参照して説明する。図６乃至図７は、セキュリティシステムの構成を示す図である。図８乃至図１０は、セキュリティシステムの処理動作を説明するための図である。
【００５２】
本実施形態におけるセキュリティシステムは、上述した実施形態１におけるものとほぼ同様の構成であるが、ユーザＵの顔画像と物体Ｏの物体画像とを撮影する第１カメラ２１及び第２カメラ２２の代わりに、携帯端末Ｐを用いている点で異なる。以下、主に実施形態１とは異なる構成について詳述する。
【００５３】
上記携帯端末Ｐは、ユーザＵが所持して操作するスマートフォンといった携帯型の通信端末である。このため、携帯端末Ｐは、施錠管理サーバ１０と無線通信を含むネットワークを介して接続可能である。
【００５４】
図６及び図７に示すように、携帯端末Ｐは、カメラ２４を備えている。カメラ２４（入力手段、撮像手段）は、ユーザＵの顔画像を撮像したり、ユーザＵが手に所持する物体Ｏの表面を撮像する際に用いられる。そして、携帯端末Ｐは、撮影したユーザＵの顔画像や、物体Ｏの物体画像を、施錠管理サーバ１０に送信する機能を有する。
【００５５】
上記施錠管理サーバ１０は、図７に示すように、実施形態１と同様に、演算装置がプログラムを実行することで構築された、ユーザ情報処理部１１、物体情報処理部１２、施錠処理部１３、解錠処理部１４、を備えると共に、さらに、演算装置がプログラムを実行することで構築された通信制御処理部１５を備えている。また、施錠管理サーバ１０は、実施形態１と同様に、記憶装置に形成された、ユーザ情報記憶部１６、物体情報記憶部１７、施錠情報記憶部１８、を備えると共に、さらに、通信情報記憶部１９を備えている。
【００５６】
上記通信制御処理部１５（通信制御手段）は、携帯端末Ｐからの接続要求を受け付けて、ユーザ登録を行う。具体的に、通信制御処理部１５は、まず、携帯端末Ｐからの接続要求に応じて公開鍵を作成して、当該公開鍵を携帯端末Ｐに通知すると共に、当該公開鍵と携帯端末Ｐとを関連付けて通信情報記憶部１９に記憶しておく。これにより、通信制御処理部１５は、その後の携帯端末Ｐとの通信においては公開鍵認証を行い、かかる認証に成功した携帯端末Ｐと暗号化通信を行う。
【００５７】
上記ユーザ情報処理部１１（ユーザ認証情報取得手段）は、事前にユーザＵのユーザ認証情報として、当該ユーザＵの顔画像あるいは顔画像から抽出された顔特徴量を取得して、ユーザ情報記憶部１６に記憶して登録する。このとき、ユーザ情報処理部１１は、公開鍵認証により通信可能となった携帯端末Ｐから、カメラ２４にて撮影されたユーザＵの顔画像の送信を受け付ける。そして、ユーザ情報処理部１１は、顔画像から顔特徴量を抽出して、上述したように公開鍵と関連付けられた携帯端末Ｐに、顔特徴量を関連付けて、ユーザ情報記憶部１６に登録する。これにより、携帯端末ＰとユーザＵとを関連付けて登録する。
【００５８】
なお、携帯端末Ｐは、当該携帯端末Ｐを操作可能とするロック解除認証に顔画像を用いている場合であっても、かかる顔画像とは異なる顔画像を、施錠管理サーバ１０にユーザ認証情報として送信する。そして、かかるユーザ認証情報としての顔画像は、携帯端末Ｐで撮影された際に当該携帯端末Ｐのメモリ上に一時保存されるだけであって、施錠管理サーバ１０へ送信後に当該メモリから削除される。
【００５９】
また、ユーザ情報処理部１１は、携帯端末Ｐを介してユーザＵから指定したドアＤの施錠の要求を受けると、携帯端末Ｐに対してユーザ認証のための顔画像を要求する。これに応じて、携帯端末Ｐからカメラ２４にて撮影されたユーザＵの画像が送信されるため、ユーザ情報処理部１１は、携帯端末Ｐから送信されたユーザＵの画像を取得する。そして、ユーザ情報処理部１１は、取得したユーザＵの画像からユーザＵの顔画像を抽出し、当該顔画像からユーザＵのユーザ認証情報としての顔特徴量を抽出する。さらに、ユーザ情報処理部１１は、抽出した顔特徴量と、予めユーザ情報記憶部１６に登録されている顔特徴量と、が一致するか否かの認証を行う。認証の結果、一致する場合には認証成功の旨を、一致しない場合には認証失敗の旨を、物体情報処理部１２と施錠処理部１３に通知する。
【００６０】
上記物体情報処理部１２（物体特徴量取得手段）は、上述したユーザ認証が成功すると、携帯端末Ｐに対して物体Ｏの画像を要求する。これに応じて、携帯端末Ｐからカメラ２４にて撮影された物体Ｏの画像が送信されるため、物体情報処理部１２は、携帯端末Ｐから送信された物体Ｏの画像を取得する。そして、物体情報処理部１２は、取得した物体画像から、物体Ｏの表面に形成されている物体固有の特徴量となる物体紋様（物体特徴量）を抽出して取得する。さらに、物体情報処理部１２は、抽出した物体紋様を物体情報記憶部１７に記憶して登録し、その旨を、施錠処理部１３に通知する。撮影した物体Ｏの物体画像は、携帯端末Ｐで撮影された際に当該携帯端末Ｐのメモリ上に一時保存されるだけであって、施錠管理サーバ１０へ送信後に当該メモリから削除される。
【００６１】
以上のように、ユーザＵから携帯端末Ｐを介して施錠要求があった時には、携帯端末Ｐのカメラ２４にてユーザＵの顔画像が撮像されて送信されると共に、同様にカメラ２４にて物体Ｏの物体画像が撮像されて送信される。そして、ユーザ情報処理部１１にてユーザＵのユーザ認証情報として顔特徴量が取得され、物体情報処理部１２にて物体Ｏの物体特徴量として物体紋様が取得される。
【００６２】
上記施錠処理部１３（記憶処理部）は、ユーザ情報処理部１１からユーザＵの認証成功の通知と、物体情報処理部１２から物体紋様の登録成功の通知と、を受けると、ユーザ情報処理部１１にて取得したユーザＵの顔特徴量と、物体情報処理部１２にて取得した物体紋様と、を関連付けて、施錠情報記憶部１８に記憶する。同時に、施錠要求されているドアＤの錠前装置Ｌを施錠するよう、かかる錠前装置Ｌに施錠指令を送る。これにより、ドアＤの錠前装置Ｌが施錠状態となる。なお、施錠情報記憶部１８には、顔特徴量と物体紋様との関連付け情報に、施錠したドアＤの錠前装置Ｌを特定する情報が対応づけられて記憶される。
【００６３】
また、上述したユーザ情報処理部１１（ユーザ認証情報取得手段）は、携帯端末Ｐを介してユーザＵから指定されたドアＤの解錠の要求を受けた際にも、施錠要求時と同様に、携帯端末Ｐに対してユーザＵの顔画像を要求し、当該顔画像を取得する。そして、ユーザ情報処理部１１は、取得したユーザＵの画像からユーザＵの顔画像を抽出し、当該顔画像からユーザＵの新たなユーザ認証情報としての顔特徴量を抽出する。さらに、ユーザ情報処理部１１は、抽出した顔特徴量と、予めユーザ情報記憶部１６に登録されている顔特徴量と、が一致するか否かの認証を行う。認証の結果、一致する場合には認証成功の旨を、一致しない場合には認証失敗の旨を、物体情報処理部１２と解錠処理部１４に通知する。
【００６４】
また、上述した物体情報処理部１２（物体特徴量取得手段）は、上述した解錠要求時にも、施錠要求時と同様に、上述したユーザ認証が成功すると、携帯端末Ｐに対して物体Ｏの画像を要求し、当該物体Ｏの画像を取得する。そして、物体情報処理部１２は、取得した物体画像から、物体Ｏの表面に形成されている新たな物体固有の特徴量となる物体紋様（物体特徴量）を抽出して取得する。さらに、物体情報処理部１２は、抽出した物体紋様と、予め物体情報記憶部１７に登録されている物体紋様と、が一致するか否かの認証を行う。認証の結果、一致する場合には認証成功の旨を、一致しない場合には認証失敗の旨を、解錠処理部１４に通知する。
【００６５】
以上のように、ユーザＵからの解錠要求時にも、携帯端末Ｐのカメラ２４にてユーザＵの顔画像と物体Ｏの物体画像が撮像される。そして、ユーザ情報処理部１１にて解錠用のユーザＵの新たなユーザ認証情報として顔特徴量が取得され、物体情報処理部１２にて解錠用の物体Ｏの新たな物体特徴量として物体紋様が取得される。なお、携帯端末Ｐは、解錠用に撮影したユーザＵの顔画像と物体Ｏの画像を、携帯端末Ｐで撮影した際に当該携帯端末Ｐのメモリ上に一時保存するだけであって、施錠管理サーバ１０へ送信後に当該メモリから削除する。
【００６６】
そして、上記解錠処理部１４（判定手段）は、ユーザ情報処理部１１にて取得したユーザＵの新たな顔特徴量と、物体情報処理部１２にて取得した新たな物体紋様とが、施錠情報記憶部１８に関連付けられて記憶されているかを判定する。つまり、解錠要求時に取得された顔特徴量と物体紋様との関連付け情報が、施錠情報記憶部１８に記憶されている顔特徴量と物体紋様との関連付け情報と一致するかを判定する判定処理を行う。そして、解錠処理部１４は、判定処理にて一致すると判定した場合には、当該一致した施錠情報記憶部１８に記憶されている顔特徴量と物体紋様との関連付け情報に対応付けられているドアＤの錠前装置Ｌに対して、解錠指令を送る。これにより、ドアＤの錠前装置Ｌが解錠状態となる。
【００６７】
また、解錠処理部１４は、上述したようにドアＤの錠前装置Ｌの解錠が行われると、当該錠前装置Ｌに対応づけられて、施錠情報記憶部１８に記憶されている顔特徴量と物体紋様との関連づけを解除する。つまり、施錠情報記憶部１８内から、解錠を行った錠前装置Ｌに対応づけられている顔特徴量と物体紋様との関連付け情報を削除する。同時に、この関連付け情報の物体紋様と同一であり、物体情報記憶部１７に記憶されている物体紋様も削除する。
【００６８】
［動作］
次に、上述したセキュリティシステムの動作を、図８乃至図１０のフローチャートを参照して説明する。図８は、携帯端末Ｐの初期設定の動作を示し、図９は、ドアＤを施錠するときの施錠管理サーバ１０の動作を示し、図１０は、ドアＤを解錠するときの施錠管理サーバ１０の動作を示す。
【００６９】
（初期設定）
施錠管理サーバ１０は、携帯端末Ｐからの接続要求を受け付けると（ステップＳ４１）、当該携帯端末Ｐ用の公開鍵を作成して、当該公開鍵を携帯端末Ｐに通知すると共に、当該公開鍵と携帯端末Ｐとを関連付けて通信情報記憶部１９に記憶する（ステップＳ４２）。
【００７０】
その後、施錠管理サーバ１０は、携帯端末Ｐからの接続要求時に公開鍵認証を行い、かかる認証に成功した携帯端末Ｐと暗号化通信を行う（ステップＳ４３：Ｙｅｓ）。そして、携帯端末ＰのユーザＵは、事前にユーザ情報を施錠管理サーバ１０に登録する。例えば、ユーザＵは、携帯端末Ｐにて自身の顔画像を撮影し（ステップＳ４４）、かかる顔画像を施錠管理サーバ１０に送信する。施錠管理サーバ１０は、携帯端末Ｐから受信した顔画像から顔特徴量を抽出し（ステップＳ４５）、施錠管理サーバ１０のユーザ情報記憶部１６に携帯端末Ｐと関連付けて登録する（ステップＳ４６：Ｙｅｓ、ステップＳ４７）。なお、施錠管理サーバ１０は、携帯端末Ｐからの接続要求時に公開鍵認証が失敗したり（ステップＳ４３：Ｎｏ）、ユーザの顔画像の抽出に失敗するなどしてユーザ情報の登録に失敗した場合には（ステップＳ４６：Ｎｏ）、ユーザ情報の登録をキャンセルする（ステップＳ４８）。
【００７１】
（施錠手順）
ユーザＵが携帯端末Ｐで施錠管理サーバ１０にアクセスすると、施錠管理サーバ１０は公開鍵認証を行う（ステップＳ５１）。公開鍵認証が成功すると（ステップＳ５１：Ｙｅｓ）、ユーザＵは携帯端末ＰからドアＤの施錠を要求する（ステップＳ５２）。施錠要求を受けた施錠管理サーバ１０は、携帯端末Ｐに対してユーザ認証のための顔画像と物体Ｏの物体情報を要求し、当該携帯端末Ｐから顔画像と物体情報とを取得する（ステップＳ５３）。なお、施錠管理サーバ１０は、携帯端末Ｐからの接続要求時に公開鍵認証が失敗した場合には（ステップＳ５１：Ｎｏ）、施錠をキャンセルする（ステップＳ６０）。
【００７２】
続いて、施錠管理サーバ１０は、取得したユーザＵの顔画像からユーザＵのユーザ認証情報としての顔特徴量を抽出する（ステップＳ５４）。そして、施錠管理サーバ１０は、抽出した顔特徴量と、予めユーザ情報記憶部１６に登録されている顔特徴量と、が一致するか否かの認証を行う（ステップＳ５５）。認証の結果、一致しない場合には認証失敗とし（ステップＳ５５：Ｎｏ）、施錠がキャンセルされる（ステップＳ６０）。認証の結果、一致する場合には認証成功となる（ステップＳ５５：Ｙｅｓ）。
【００７３】
顔特徴量の認証が成功した場合には、施錠管理サーバ１０は、取得した物体画像から、物体Ｏの表面に形成されている物体固有の特徴量となる物体紋様を抽出する（ステップＳ５６）。なお、施錠管理サーバ１０は、顔特徴量の認証が成功された場合に、携帯端末Ｐに物体Ｏの物体画像を要求して取得し、物体紋様を抽出してもよい。そして、施錠管理サーバ１０は、抽出した物体紋様を物体情報記憶部１７に記憶する（ステップＳ５７）。これと共に、施錠管理サーバ１０は、取得したユーザＵの顔特徴量と取得した物体紋様とを関連付けて、施錠情報記憶部１８に記憶する（ステップＳ５８）。同時に、施錠管理サーバ１０は、施錠要求されているドアＤの錠前装置Ｌを施錠するよう制御する（ステップＳ５９）。これにより、ドアＤの錠前装置Ｌは施錠状態となり、ドアＤは内側からは開くが外部からは登録情報がないと開かないオートロックになる。
【００７４】
（解錠手順）
ユーザＵが携帯端末Ｐで施錠管理サーバ１０にアクセスすると、施錠管理サーバ１０は公開鍵認証を行う（ステップＳ７１）。公開鍵認証が成功すると（ステップＳ７１：Ｙｅｓ）、ユーザＵは携帯端末ＰからドアＤの解錠を要求する（ステップＳ７２）。解錠要求を受けた施錠管理サーバ１０は、携帯端末Ｐに対してユーザ認証のための顔画像と物体Ｏの物体情報を要求し、当該携帯端末Ｐから顔画像と物体情報とを取得する（ステップＳ７３）。なお、施錠管理サーバ１０は、携帯端末Ｐからの接続要求時に公開鍵認証が失敗した場合には（ステップＳ７１：Ｎｏ）、施錠をキャンセルする（ステップＳ８１）。
【００７５】
続いて、施錠管理サーバ１０は、取得したユーザＵの顔画像からユーザＵのユーザ認証情報としての顔特徴量を抽出する（ステップＳ７４）。そして、施錠管理サーバ１０は、抽出した顔特徴量と、予めユーザ情報記憶部１６に登録されている顔特徴量と、が一致するか否かの認証を行う（ステップＳ７５）。認証の結果、一致しない場合には認証失敗とし（ステップＳ７５：Ｎｏ）、解錠がキャンセルされる（ステップＳ８１）。認証の結果、一致する場合には認証成功となる（ステップＳ７５：Ｙｅｓ）。
【００７６】
顔特徴量の認証が成功した場合には、施錠管理サーバ１０は、取得した物体画像から、物体Ｏの表面に形成されている物体固有の特徴量となる物体紋様を抽出する（ステップＳ７６）。なお、施錠管理サーバ１０は、顔特徴量の認証が成功された場合に、携帯端末Ｐに物体Ｏの物体画像を要求して取得し、物体紋様を抽出してもよい。そして、施錠管理サーバ１０は、抽出した物体紋様が、物体情報記憶部１７に登録されている物体紋様と一致するか否かの認証を行う（ステップＳ７７）。認証の結果、一致する場合には（ステップＳ７７：Ｙｅｓ）、取得したユーザＵの新たな顔特徴量と新たな物体紋様とを関連付けた情報が、施錠情報記憶部１８に関連付けられて記憶されているかを判定する（ステップＳ７８）。つまり、解錠要求時に取得された顔特徴量と物体紋様との関連付け情報が、施錠情報記憶部１８に記憶されている顔特徴量と物体紋様との関連付け情報と一致するかを判定する判定処理を行う。
【００７７】
施錠管理サーバ１０は、上記判定処理にて一致すると判定した場合には（ステップＳ７８：Ｙｅｓ）、当該一致した施錠情報記憶部１８に記憶されている顔特徴量と物体紋様との関連付け情報に対応付けられているドアＤの錠前装置Ｌの解錠を行う（ステップＳ７９）。これにより、ドアＤの錠前装置Ｌが解錠状態となる。なお、上記判定処理にて一致しないと判定した場合には（ステップＳ７８：Ｎｏ）、解錠がキャンセルされる（ステップＳ８１）。
【００７８】
その後、施錠管理サーバ１０は、解錠を行った錠前装置Ｌに対応づけられている顔特徴量と物体紋様との関連付け情報を削除する（ステップＳ８０）。同時に、この関連付け情報の物体紋様と同一であり、物体情報記憶部１７に記憶されている物体紋様も削除する。なお、このとき、ユーザ情報記憶部１６に登録されたユーザの顔画像や当該顔画像から抽出された顔特徴量は、ユーザ情報としてユーザ情報記憶部１６に登録されたままとなる。
【００７９】
以上のように、本実施形態における情報処理システムによると、顔特徴量と物体紋様との組み合わせを鍵として施錠時に設定しているため、物体紋様を変更することで、迅速かつ容易に鍵を変更することが可能となる。特に、物体紋様は様々な物体毎に固有の情報であるため、複製が困難であり、鍵の強度が高く、セキュリティの向上を図ることができる。さらに、本実施形態では、携帯端末Ｐを利用しているため、専用カメラを設置する必要がなく、コストの低減を図ることができる。また、携帯端末Ｐを用いてリモートで施錠管理が可能となり、仮に携帯端末Ｐを紛失した場合であっても、生体認証と物体指紋による二段階認証によって不正に解錠されるリスクを軽減することができる。例えば、特別な利用シーンとしては、ユーザＵが登録されていない新規ユーザを施錠管理された施設内に共連れすることなく、入場させることが可能になる。
【００８０】
＜実施形態４＞
次に、本発明の第４の実施形態を、図１１及び図１２を参照して説明する。図１１は、実施形態４における情報処理装置の構成を示すブロック図である。図１２は、実施形態４における情報処理システムの構成を示すブロック図である。なお、本実施形態では、実施形態１乃至実施形態３で説明した顔認証システムの構成の概略を示している。
【００８１】
図１１に示すように、本実施形態おける情報処理装置１００は、
ユーザ認証情報を取得するユーザ認証情報取得手段１１０と、
物体撮影画像から抽出された物体特徴量を取得する物体特徴量取得手段１２０と、
前記ユーザ認証情報と前記物体特徴量とを関連付けて記憶装置に記憶する記憶処理手段１３０と、
新たに取得した情報が、前記記憶装置に記憶されている関連付けられた前記ユーザ認証情報と前記物体特徴量とに一致するか否かの判定処理を行う判定手段１４０と、
を備える、
という構成をとる。
【００８２】
また、本実施形態では、図１１に示す情報処理装置１００に、入力手段１５０と撮像手段１６０とを追加してもよい。
つまり、本実施形態における情報処理システム２００は、
ユーザ認証情報を入力する入力手段１５０と、
物体撮影画像を撮像する撮像手段１６０と、
前記入力手段から入力された前記ユーザ認証情報を取得するユーザ認証情報取得手段１１０と、
前記撮像手段にて撮像された前記物体撮影画像から抽出された物体特徴量を取得する物体特徴量取得手段１２０と、
前記ユーザ認証情報と前記物体特徴量とを関連付けて記憶装置に記憶する記憶処理手段１３０と、
新たに取得した情報が、前記記憶装置に記憶されている関連付けられた前記ユーザ認証情報と前記物体特徴量とに一致するか否かの判定処理を行う判定手段１４０と、
を備えた、
という構成をとる。
【００８３】
なお、上述したユーザ認証情報取得手段１１０と、物体特徴量取得手段１２０と、記憶処理手段１３０と、判定手段１４０とは、演算装置がプログラムを実行することで構築されるものであってもよく、電子回路で構築されるものであってもよい。
【００８４】
そして、上記構成の情報処理装置１００あるいは情報処理システム２００は、
ユーザ認証情報を取得し、
物体撮影画像から抽出された物体特徴量を取得し、
前記ユーザ認証情報と前記物体特徴量とを関連付けて記憶装置に記憶し、
新たに入力された情報が、前記記憶装置に記憶されている関連付けられた前記ユーザ認証情報と前記物体特徴量とに一致するか否かの判定処理を行う、
という処理を行うよう作動する。
【００８５】
上述した情報処理装置１００あるいは情報処理システム２００によると、ユーザ認証情報と物体紋様との組み合わせを鍵として施錠時に設定しているため、物体紋様を変更することで、迅速かつ容易に鍵を変更することが可能となる。特に、物体紋様は様々な物体毎に固有の情報であるため、複製が困難であり、鍵の強度が高く、セキュリティの向上を図ることができる。
【００８６】
＜付記＞
上記実施形態の一部又は全部は、以下の付記のようにも記載されうる。以下、本発明における情報処理装置、情報処理システム、プログラム、情報処理方法の構成の概略を説明する。但し、本発明は、以下の構成に限定されない。
【００８７】
（付記１）
ユーザ認証情報を取得するユーザ認証情報取得手段と、
物体撮影画像から抽出された物体特徴量を取得する物体特徴量取得手段と、
前記ユーザ認証情報と前記物体特徴量とを関連付けて記憶装置に記憶する記憶処理手段と、
新たに取得した情報が、前記記憶装置に記憶されている関連付けられた前記ユーザ認証情報と前記物体特徴量とに一致するか否かの判定処理を行う判定手段と、
を備えた情報処理装置。
【００８８】
（付記２）
付記１に記載の情報処理装置であって、
前記ユーザ認証情報取得手段は、新たなユーザ認証情報を取得し、
前記物体特徴量取得手段は、新たな物体撮影画像から抽出された新たな物体特徴量を取得し、
前記判定手段は、前記新たなユーザ認証情報と前記新たな物体特徴量とが、前記記憶装置に記憶されている関連付けられた前記ユーザ認証情報と前記物体特徴量とに一致するか否かの判定処理を行う、
情報処理装置。
【００８９】
（付記２．１）
付記１又は２に記載の情報処理装置であって、
前記ユーザ認証情報取得手段は、ユーザの顔画像から顔特徴量を前記ユーザ認証情報として取得する、
情報処理装置。
【００９０】
（付記３）
付記１又は２に記載の情報処理装置であって、
前記記憶処理手段は、前記ユーザ認証情報と前記物体特徴量とを関連付けて記憶する際に、予め設定された錠前の施錠処理を行う、
情報処理装置。
【００９１】
（付記４）
付記３に記載の情報処理装置であって、
前記判定手段は、前記判定処理にて一致すると判定した場合に、前記錠前の解錠処理を行う、
情報処理装置。
【００９２】
（付記５）
付記３又は４に記載の情報処理装置であって、
前記記憶処理手段は、前記ユーザ認証情報が予め登録された情報と一致する場合に、前記錠前の施錠処理を行う、
情報処理装置。
【００９３】
（付記６）
付記４又は５に記載の情報処理装置であって、
前記判定手段は、前記ユーザ認証情報が予め登録された情報と一致し、前記物体特徴量が予め登録された情報と一致すると共に、前記判定処理にて一致すると判定した場合に、前記錠前の解錠処理を行う、
情報処理装置。
【００９４】
（付記７）
付記１乃至６のいずれかに記載の情報処理装置であって、
前記判定手段は、前記判定処理にて一致すると判定された前記記憶装置に記憶されている関連付けられた前記ユーザ認証情報と前記物体特徴量との関連付けを解除する、
情報処理装置。
【００９５】
（付記７．１）
付記１乃至６のいずれかに記載の情報処理装置であって、
前記判定手段は、前記判定処理にて予め設定された回数一致すると判定された前記記憶装置に記憶されている関連付けられた前記ユーザ認証情報と前記物体特徴量との関連付けを解除する、
情報処理装置。
【００９６】
（付記７．２）
付記１乃至７のいずれかに記載の情報処理装置であって、
前記記憶処理手段は、複数の前記ユーザ認証情報からなるユーザグループ情報と前記物体特徴量とを関連付けて記憶装置に記憶し、
前記判定手段は、前記新たなユーザ認証情報と前記新たな物体特徴量とが、前記記憶装置に記憶されている関連付けられた前記ユーザグループ情報内の前記ユーザ認証情報と前記物体特徴量とに一致するか否かの判定処理を行う、
情報処理装置。
【００９７】
（付記８）
ユーザ認証情報を入力する入力手段と、
物体撮影画像を撮像する撮像手段と、
前記入力手段から入力された前記ユーザ認証情報を取得するユーザ認証情報取得手段と、
前記撮像手段にて撮像された前記物体撮影画像から抽出された物体特徴量を取得する物体特徴量取得手段と、
前記ユーザ認証情報と前記物体特徴量とを関連付けて記憶装置に記憶する記憶処理手段と、
新たに取得した情報が、前記記憶装置に記憶されている関連付けられた前記ユーザ認証情報と前記物体特徴量とに一致するか否かの判定処理を行う判定手段と、
を備えた情報処理システム。
【００９８】
（付記９）
付記８に記載の情報処理システムであって、
前記入力手段と前記撮像手段とを備えた携帯端末と、
前記携帯端末とネットワークを介して接続され、前記ユーザ認証情報取得手段と前記物体特徴量取得手段と前記記憶処理手段と前記判定手段とを備えたサーバ装置と、を備え、
前記サーバ装置は、予め登録された前記携帯端末と通信可能なよう接続を行う通信制御手段を備え、
前記サーバ装置の前記ユーザ認証情報取得手段及び前記物体特徴量取得手段は、接続された前記携帯端末を介して情報を取得する、
情報処理システム。
【００９９】
（付記９．１）
付記９に記載の情報処理システムであって、
前記携帯端末の前記撮像手段は、撮像した前記物体撮像画像を前記サーバ装置に送信した後に当該物体撮像画像を前記携帯端末内から削除する、
情報処理システム。
【０１００】
（付記１０）
ユーザ認証情報を取得し、
物体撮影画像から抽出された物体特徴量を取得し、
前記ユーザ認証情報と前記物体特徴量とを関連付けて記憶装置に記憶し、
新たに入力された情報が、前記記憶装置に記憶されている関連付けられた前記ユーザ認証情報と前記物体特徴量とに一致するか否かの判定処理を行う、
情報処理方法。
【０１０１】
（付記１０．１）
付記１０に記載の情報処理方法であって、
新たなユーザ認証情報を取得し、
新たな物体撮影画像から抽出された新たな物体特徴量を取得し、
前記新たなユーザ認証情報と前記新たな物体特徴量とが、前記記憶装置に記憶されている関連付けられた前記ユーザ認証情報と前記物体特徴量とに一致するか否かの判定処理を行う、
情報処理方法。
【０１０２】
（付記１０．２）
付記１０又は１０．１に記載の情報処理方法であって、
前記ユーザ認証情報と前記物体特徴量とを関連付けて記憶する際に、予め設定された錠前の施錠処理を行う、
情報処理方法。
【０１０３】
（付記１０．３）
付記１０．２に記載の情報処理方法であって、
前記判定処理にて一致すると判定した場合に、前記錠前の解錠処理を行う、
情報処理方法。
【０１０４】
（付記１０．４）
付記１０乃至１０．３のいずれかに記載の情報処理方法であって、
前記判定処理にて一致すると判定された前記記憶装置に記憶されている関連付けられた前記ユーザ認証情報と前記物体特徴量との関連付けを解除する、
情報処理方法。
【０１０５】
（付記１１）
情報処理装置に、
ユーザ認証情報を取得するユーザ認証情報取得手段と、
物体撮影画像から抽出された物体特徴量を取得する物体特徴量取得手段と、
前記ユーザ認証情報と前記物体特徴量とを関連付けて記憶装置に記憶する記憶処理手段と、
新たに取得した情報が、前記記憶装置に記憶されている関連付けられた前記ユーザ認証情報と前記物体特徴量とに一致するか否かの判定処理を行う判定手段と、
を実現させるためのプログラム。
【０１０６】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【０１０７】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【０１０８】
１０  施錠管理サーバ
１１  ユーザ情報処理部
１２  物体情報処理部１２
１３  施錠処理部
１４  解錠処理部
１５  通信制御処理部
１６  ユーザ情報記憶部
１７  物体情報記憶部
１８  施錠情報記憶部
１９  通信情報記憶部
２１  第１カメラ
２２  第２カメラ
２３  カードリーダ
２４  カメラ
Ｃ  カード
Ｄ  ドア
Ｌ  錠前装置
Ｏ  物体
Ｐ  携帯端末
Ｕ  ユーザ
【図１】
2019137972.tif 000003
【図２】
2019137972.tif 000004
【図３】
2019137972.tif 000005
【図４】
2019137972.tif 000006
【図５】
2019137972.tif 000007
【図６】
2019137972.tif 000008
【図７】
2019137972.tif 000009
【図８】
2019137972.tif 000010
【図９】
2019137972.tif 000011
【図１０】
2019137972.tif 000012
【図１１】
2019137972.tif 000013
【図１２】
2019137972.tif 000014